(57)【要約】【課題】吸排気バルブとバルブシートとの間にデポジットが噛み込んだ場合にあっても、エンジン停止前に当該デポジットを除去することができ、良好な再始動性が確保可能なエンジンの制御方法及びエンジンの制御装置を提供する。【解決手段】アクセル開度は、タイミングｔ１１以降、ゼロとなる。燃料噴射量は、タイミングｔ１２以降、ゼロとなる、そして、燃料噴射量がゼロとされるとともに、デポジット付着の有無が判定される。デポジットの付着有りと判定され、フラグが“１”にセットされると、燃料噴射を復帰させるエンジン回転数が回転数ＲＦ０から回転数ＲＦ１に変更される。回転数ＲＦ１は、回転数ＲＦ０よりも高い回転数である。そして、タイミングｔ１４において、エンジン回転数が回転数ＲＦ１まで低下すると、燃料噴射が復帰される。燃料噴射は、車速がゼロとなるタイミングｔ１６まで継続される。【選択図】図８
2018184889.tif 000002
【特許請求の範囲】
【請求項１】
エンジンの制御方法において、
吸気バルブ及び排気バルブの少なくとも一方と、バルブシートとの間へのデポジットの噛み込みの有無を判定するデポジット付着判定ステップと、
燃料噴射弁の開閉動作により燃料噴射の制御を実行する噴射弁開閉ステップと、
を備え、
アクセルがオフ状態である期間中において、
前記デポジットの噛み込み無しと判定した場合には、前記アクセルがオフ状態となった後、前記エンジンの回転数が第１回転数よりも高い回転数から該第１回転数に低下するまでの期間中に、前記燃料噴射を停止し、前記エンジンの回転数が前記第１回転数以下となった時に、前記燃料噴射を再開し、
前記デポジットの噛み込み有りと判定した場合には、前記アクセルがオフ状態となった後、前記エンジンの回転数が前記第１回転数よりも高く設定された第２回転数よりも高い回転数から該第２回転数に低下するまでの期間中に、前記燃料噴射を停止し、前記エンジンの回転数が前記第２回転数以下となった時に、前記燃料噴射を再開する、
エンジンの制御方法。
【請求項２】
請求項１記載のエンジンの制御方法であって、
前記デポジット付着判定ステップでは、クランク角センサからのクランク角速度情報に基づき、前記デポジットの噛み込みの有無の判定を実行するとともに、当該判定を、前記噴射弁開閉ステップにおいて前記燃料噴射弁の閉状態が継続中であるときに取得した前記クランク角速度情報を用い実行する、
エンジンの制御方法。
【請求項３】
請求項２記載のエンジンの制御方法であって、
前記デポジット付着判定ステップは、
前記クランク角センサからのクランク角速度情報に基づき、前記エンジンにおける圧縮行程中での所定のクランク角範囲の通過に要する第１通過時間を算出する第１通過時間算出サブステップと、
前記クランク角センサからのクランク角速度情報に基づき、前記エンジンにおける前記圧縮行程後での所定のクランク角範囲の通過に要する第２通過時間を算出する第２通過時間算出サブステップと、
前記第１通過時間と前記第２通過時間との比が、所定の閾値以下となった場合に、デポジットの噛み込み有りと判定する判定サブステップと、
を有する、
エンジンの制御方法。
【請求項４】
エンジンの制御方法において、
吸気バルブ及び排気バルブの少なくとも一方と、バルブシートとの間へのデポジットの噛み込みの有無を判定するデポジット付着判定ステップと、
燃料噴射弁の開閉動作により燃料噴射の制御を実行する噴射弁開閉ステップと、
を備え、
アクセルがオフ状態である期間中において、
前記デポジットの噛み込み無しと判定した場合には、前記アクセルがオフ状態となった時に、前記燃料噴射を停止し、
前記デポジットの噛み込み有りと判定した場合には、前記アクセルがオフ状態となった後の所定の期間中に、前記燃料噴射を実行する、
エンジンの制御方法。
【請求項５】
請求項１から請求項４の何れか記載のエンジンの制御方法であって、
前記アクセルがオフ状態である第１期間中に、前記デポジットの噛み込み有りとの判定がなされ、
前記第１期間中になされた前記デポジットの噛み込み有りとの判定の継続中に、前記アクセルがオン状態とされ、再び前記アクセルがオフ状態となった第２期間中では、継続的に前記燃料噴射を実行する、
エンジンの制御方法。
【請求項６】
エンジンの制御方法において、
吸気バルブ及び排気バルブの少なくとも一方と、バルブシートとの間へのデポジットの噛み込みの有無を判定するデポジット付着判定ステップと、
燃料噴射弁の開閉動作により燃料噴射の制御を実行する噴射弁開閉ステップと、
を備え、
アクセルがオフ状態であって、前記デポジットの噛み込み有りとの判定がなされた第１期間と、
前記第１期間中になされた前記デポジットの噛み込み有りとの判定の継続中において、前記アクセルがオン状態とされたアクセルオン期間と、
前記アクセルオン期間の後、前記第１期間中になされた前記デポジットの噛み込み有りとの判定の継続中において、再び前記アクセルがオフ状態とされた第２期間と、
が順に設定され、
前記第２期間では、継続的に前記燃料噴射を実行する、
エンジンの制御方法。
【請求項７】
エンジンの制御装置において、
開閉動作により前記エンジンの燃焼室への燃料噴射量を調節する燃料噴射弁と、
アクセルのオン・オフ状態に関するアクセル開度情報の入力を受け付けるとともに、前記燃料噴射弁の開閉制御により燃料噴射の制御を実行する制御部と、
を備え、
前記制御部は、前記アクセルがオフ状態である期間中において、
吸気バルブ及び排気バルブの少なくとも一方と、バルブシートとの間へのデポジットの噛み込み無しと判定した場合には、前記アクセルがオフ状態となった後、前記エンジンの回転数が第１回転数よりも高い回転数から該第１回転数に低下するまでの期間中に、前記燃料噴射を停止し、前記エンジンの回転数が前記第１回転数以下となった時に、前記燃料噴射を再開し、
前記デポジットの噛み込み有りと判定した場合には、前記アクセルがオフ状態となった後、前記エンジンの回転数が前記第１回転数よりも高く設定された第２回転数よりも高い回転数から該第２回転に低下するまでの期間中に、前記燃料噴射を停止し、前記エンジンの回転数が前記第２回転数以下となった時に、前記燃料を再開する、
エンジンの制御装置。
【請求項８】
請求項７記載のエンジンの制御装置であって、
前記エンジンのクランク角速度を検出するクランク角センサを、さらに備え、
前記制御部は、前記クランク角センサからのクランク角速度情報に基づくとともに、前記燃料噴射の停止状態の継続中であるときに取得したクランク角センサからのクランク角速度情報を用い、前記デポジットの噛み込みの有無の判定を実行する、
エンジンの制御装置。
【請求項９】
請求項８記載のエンジンの制御装置であって、
前記制御部は、
前記クランク角センサからのクランク角速度情報に基づき、前記エンジンにおける圧縮行程中での所定のクランク角範囲の通過に要する第１通過時間を算出し、
前記クランク角センサからのクランク角速度情報に基づき、前記エンジンにおける前記圧縮行程後での所定のクランク角範囲の通過に要する第２通過時間を算出し、
前記第１通過時間と前記第２通過時間との比を算出し、
前記第１通過時間と前記第２通過時間との比が所定の閾値以下であると判断した場合に、デポジットの噛み込み有りと判定する、
エンジンの制御装置。
【請求項１０】
エンジンの制御装置において、
開閉動作により前記エンジンの燃焼室への燃料噴射量を調節する燃料噴射弁と、
アクセルのオン・オフ状態に関するアクセル開度情報の入力を受け付けるとともに、前記燃料噴射弁の開閉制御により燃料噴射の制御を実行する制御部と、
を備え、
前記制御部は、前記アクセルがオフ状態である期間中において、
吸気バルブ及び排気バルブの少なくとも一方と、バルブシートとの間へのデポジットの噛み込み無しと判定した場合には、前記アクセルがオフ状態となった時に、前記燃料噴射を停止し、
前記デポジットの噛み込み有りと判定した場合には、前記アクセルがオフ状態となった後の所定の期間中に、前記燃料噴射を実行する、
エンジンの制御装置。
【請求項１１】
請求項７から請求項１０の何れか記載のエンジンの制御装置であって、
前記制御部は、
前記アクセルがオフ状態である第１期間中に、前記デポジットの噛み込み有りと判定し、
前記第１期間中になされた前記デポジットの噛み込み有りとの判定の継続中に、前記アクセルがオン状態とされ、再び前記アクセルがオフ状態となった第２期間中では、継続的に前記燃料噴射を実行する、
エンジンの制御装置。
【請求項１２】
エンジンの制御装置において、
開閉動作により前記エンジンの燃焼室への燃料噴射量を調節する燃料噴射弁と、
アクセルのオン・オフ状態に関するアクセル開度情報の入力を受け付けるとともに、前記燃料噴射弁の開閉制御により燃料噴射の制御を実行する制御部と、
を備え、
前記アクセルがオフ状態であって、前記制御部が、吸気バルブ及び排気バルブの少なくとも一方と、バルブシートとの間へのデポジットの噛み込み有りと判定した第１期間と、
前記第１期間中になされた前記デポジットの噛み込み有りとの判定の継続中において、前記アクセルがオン状態とされたアクセルオン期間と、
前記アクセルオン期間の後、前記第１期間中になされた前記デポジットの噛み込み有りとの判定の継続中において、再び前記アクセルがオフ状態とされた第２期間と、
が順に設定され、
前記制御部は、前記第２期間において、継続的に前記燃料噴射を実行する、
エンジンの制御装置。
【請求項１３】
エンジンの制御装置において、
開閉動作により前記エンジンの燃焼室への燃料噴射量を調節する燃料噴射弁と、
前記エンジンのクランク角速度を検出するクランク角センサと、
アクセルのオン・オフ状態に関するアクセル開度情報、及び前記クランク角センサからのクランク角速度情報の入力を受け付けるとともに、前記燃料噴射弁の開閉制御により燃焼噴射の制御を実行する制御部と、
を備え、
前記制御部は、前記アクセルがオフ状態である期間中において、
前記クランク角速度情報を基とする、前記エンジンにおける圧縮行程中での所定のクランク角範囲の通過に要する第１通過時間と、前記エンジンにおける前記圧縮行程後での所定のクランク角範囲の通過に要する第２通過時間との比が、所定の閾値よりも大きい場合には、前記エンジンの回転数が第１回転数よりも高い回転数から該第１回転数に低下するまでの期間中、前記燃料噴射を停止し、前記エンジンの回転数が前記第１回転数以下となった時に、前記燃料噴射を再開し、
前記比が前記所定の閾値以下である場合には、前記エンジンの回転数が前記第１回転数よりも高く設定された第２回転数よりも高い回転数から該第２回転数に低下するまでの期間中に、前記燃料噴射を停止し、前記エンジンの回転数が前記第２回転数以下となった時に、前記燃料噴射を再開する、
エンジンの制御装置。
【発明の詳細な説明】
【技術分野】
【０００１】
本発明は、エンジンの制御方法及びエンジンの制御装置に関し、特に、エンジンにおける吸排気バルブとバルブシートとの間に噛み込んだデポジットを除去するための技術に関する。
【背景技術】
【０００２】
エンジンは、燃焼室内に燃料と空気とを送り込み、燃焼室内で生じる燃焼により駆動される。エンジンにおいては、吸気バルブとバルブシートとの間にデポジットが噛み込むことがある。例えば、特許文献１には、吸気通路に付着したデポジットが何らかの拍子に剥がれ、燃焼室方向に流れ、吸気バルブとバルブシートの間に噛み込むことがあるとの記載がなされている。
【０００３】
吸気バルブとバルブシートとの間にデポジットが噛み込んだ場合には、圧縮漏れを起こすことになり、着火不良の原因となる。
【０００４】
特許文献２では、吸気バルブとバルブシートとの間に噛み込んだデポジットを除去する技術が提案されている。具体的には、気筒休止する特定の気筒において、吸気バルブにおけるバルブ軸部の軸端部分にヒータを取り付け、当該気筒の気筒休止時において、ヒータを駆動して吸気バルブを加温し、これによりデポジットを除去するという技術が開示されている。
【０００５】
なお、デポジットの噛み込みは、ガソリンエンジンで生じた場合にも影響を及ぼすことになるが、特にディーゼルエンジンの場合には、影響が大きい。即ち、ディーゼルエンジンでは、圧縮着火を行うため、デポジットの噛み込みにより圧縮漏れを生じたままエンジンを停止した場合、エンジンの再始動が困難となるおそれがある。
【先行技術文献】
【特許文献】
【０００６】
【特許文献１】特開２０１５−１１７６６１号公報
【特許文献２】特開２０１７−００２８５３号公報
【発明の概要】
【発明が解決しようとする課題】
【０００７】
しかしながら、従来においては、吸気バルブとバルブシートとの間に噛み込んだデポジットを効果的に除去する効果的な技術は未だ開発されていないのが現状である。なお、上記特許文献１には、吸気バルブとバルブシートとの間にデポジットが付着し易い運転条件を予め把握しておき、当該運転条件に該当する場合にはポートインジェクタの噴射量を少なくする、との技術は開示されているが、付着してしまった（噛み込んでしまった）デポジットを除去する技術については、何ら開示していない。
【０００８】
また、上記特許文献２の技術は、バルブ軸部の軸端部分に取り付けたヒータでデポジットの除去を図ろうとするものであるので、エンジンが大型化するとともに、製造コストの上昇にもつながる。また、上記特許文献２の技術では、気筒休止が実行される気筒においてのみ、デポジットの除去が可能であり、他の気筒でのデポジットを除去することはできない。よって、上記特許文献２の技術では、気筒休止する特定の気筒以外の気筒においてデポジットの噛み込みが生じた場合には、エンジンの再始動が困難となることが考えられる。
【０００９】
なお、上記では、吸気バルブとバルブシートとの間へのデポジットの噛み込みについて説明したが、排気バルブとバルブシートとの間についても、吸気バルブと同様に、デポジットが噛み込むことがあり、その場合には同様の問題を生じ得る。
【００１０】
本発明は、上記のような問題の解決を図ろうとなされたものであって、吸排気バルブとバルブシートとの間にデポジットが噛み込んだ場合にあっても、エンジンの停止前に当該デポジットを除去することができ、良好な再始動性が確保可能なエンジンの制御方法及びエンジンの制御装置を提供することを目的とする。
【課題を解決するための手段】
【００１１】
本発明の一態様に係るエンジンの制御方法は、吸気バルブ及び排気バルブの少なくとも一方と、バルブシートとの間へのデポジットの噛み込みの有無を判定するデポジット付着判定ステップと、燃料噴射弁の開閉動作により燃料噴射の制御を実行する噴射弁開閉ステップと、を備える。そして、本態様に係るエンジンの制御方法では、アクセルがオフ状態である期間中において、前記デポジットの噛み込み無しと判定した場合には、前記アクセルがオフ状態となった後、前記エンジンの回転数が第１回転数よりも高い回転数から該第１回転数に低下するまでの期間中に、前記燃料噴射を停止し、前記エンジンの回転数が前記第１回転数以下となった時に、前記燃料噴射を再開し、前記デポジットの噛み込み有りと判定した場合には、前記アクセルがオフ状態となった後、前記エンジンの回転数が第１回転数よりも高く設定された第２回転数よりも高い回転数から該第２回転に低下するまでの期間中に、前記燃料噴射を停止し、前記エンジンの回転数が前記第２回転数以下となった時に、前記燃料噴射を再開する。
【００１２】
上記態様に係るエンジンの制御方法では、デポジットの噛み込み有りと判定した場合、エンジンの回転数が第２回転数以下となった時に燃料噴射を再開する。これにより、上記態様に係るエンジンの制御方法では、燃料噴射を再開して以降、エンジンの回転数がゼロとなるまで（エンジンが停止するまで）の間、燃焼圧（筒内圧）を利用してデポジットを除去することが可能である。即ち、上記態様に係るエンジンの制御方法では、デポジットの噛み込み有りと判定の場合のフューエルカットからの復帰タイミングを、デポジットの噛み込みが無い場合よりも早くすることで、燃焼圧を利用したデポジットの押し潰しの機会を増やすことができる。
【００１３】
従って、上記態様に係るエンジンの制御方法では、吸排気バルブとバルブシートとの間にデポジットが噛み込んだ場合にあっても、エンジンの停止前に当該デポジットを除去することができ、良好な再始動性が確保可能である。
【００１４】
なお、上記態様に係るエンジンの制御方法では、燃料噴射を一旦停止した（フューエルカットした）後、再開させるので、ドライバに対してある程度の減速感を与えることができ、ドライバの違和感を緩和することができる。
【００１５】
本発明の別態様に係るエンジンの制御方法は、上記態様において、前記デポジット付着判定ステップでは、クランク角センサからのクランク角速度情報に基づき、前記デポジットの噛み込みの有無の判定を実行するとともに、当該判定を、前記噴射弁開閉ステップにおける前記燃料噴射の停止状態の継続中に実行する。
【００１６】
上記態様に係るエンジンの制御方法では、デポジット付着判定ステップにおいて、クランク角センサからのクランク角速度情報に基づいてデポジットの噛み込みの有無を判定するので、高い精度でのデポジットの噛み込み判定が実行できる。即ち、気筒内に設けた圧力センサからの圧力情報に基づきデポジットの噛み込みの有無を判定する場合等に比べて、上記態様に係るエンジンの制御方法では、微小なデポジットが噛み込んだ場合にも高精度に判定がなされる。
【００１７】
また、上記態様に係るエンジンの制御方法では、燃料噴射の停止状態の継続中にデポジットの噛み込みの有無を判定するので、燃焼によるトルク変動の影響を受けず、微小量のデポジットであっても高精度に検出することができる。ここで、微小量のデポジットの有無を検出できれば、早期にデポジット除去を実行することにより、圧縮漏れによる着火不良を未然に防ぐことができる。このような微小量のデポジットを検出するためには、燃焼によるトルク変動の影響を抑えるか無くすことが重要となる。この点において、上記態様に係るエンジンの制御方法は、優れている。
【００１８】
本発明の別態様に係るエンジンの制御方法は、上記態様において、前記デポジット付着判定ステップは、前記クランク角センサからのクランク角速度情報に基づき、前記エンジンにおける圧縮行程中での所定のクランク角範囲の通過に要する第１通過時間を算出する第１通過時間算出サブステップと、前記クランク角センサからのクランク角速度情報に基づき、前記エンジンにおける前記圧縮行程後での所定のクランク角範囲の通過に要する第２通過時間を算出する第２通過時間算出サブステップと、前記第１通過時間と前記第２通過時間との比が、所定の閾値以下となった場合に、デポジットの噛み込み有りと判定する判定サブステップと、を有する。
【００１９】
上記態様に係るエンジンの制御方法では、第１通過時間と第２通過時間との比（クランク角速度比）に基づき、デポジットの噛み込みの有無を判定するので、エンジンの回転数が高い状態であっても高い精度を以ってデポジットの噛み込みの有無を検出することができる。
【００２０】
本発明の一態様に係るエンジンの制御方法は、吸気バルブ及び排気バルブの少なくとも一方と、バルブシートとの間へのデポジットの噛み込みの有無を判定するデポジット付着判定ステップと、燃料噴射弁の開閉動作により燃料噴射の制御を実行する噴射弁開閉ステップと、を備える。そして、本態様に係るエンジンの制御方法では、アクセルがオフ状態である期間中において、前記デポジットの噛み込み無しと判定した場合には、前記アクセルがオフ状態となった時に、前記燃料噴射を停止し、前記デポジットの噛み込み有りと判定した場合には、前記アクセルがオフ状態となった後の所定の期間中に、前記燃料噴射を実行する。
【００２１】
上記態様に係るエンジンの制御方法では、デポジットの噛み込み有りと判定した場合、その直後から燃料噴射を実行する（フューエルカットを中断する）ので、デポジットの噛み込み無しと判定した場合に比べて、燃焼室での燃焼時間を長くすることができる。よって、上記態様に係るエンジンの制御方法では、デポジットの噛み込みの有無の判定を行った直後から、燃焼圧（筒内圧）を利用してデポジットを押し潰す機会を増やすことができる。
【００２２】
従って、上記態様に係るエンジンの制御方法では、吸排気バルブとバルブシートとの間にデポジットが噛み込んだ場合にあっても、エンジンの停止前に当該デポジットを除去することができ、良好な再始動性が確保可能である。
【００２３】
本発明の別態様に係るエンジンの制御方法は、上記態様において、前記アクセルがオフ状態である第１期間中に、前記デポジットの噛み込み有りとの判定がなされ、前記第１期間中になされた前記デポジットの噛み込み有りとの判定の継続中に、前記アクセルがオン状態とされ、再び前記アクセルがオフ状態となった第２期間中では、当該期間中、継続的に前記燃料噴射を実行する。
【００２４】
上記態様に係るエンジンの制御方法では、第２期間中において、継続的に燃料噴射を実行する（フューエルカットを中断する）ので、燃焼圧（筒内圧）を利用してデポジットを押し潰す機会を増やすことができる。よって、上記態様に係るエンジンの制御方法では、エンジンが停止する前に、デポジットをより確実に除去することができる。
【００２５】
本発明の一態様に係るエンジンの制御方法は、吸気バルブ及び排気バルブの少なくとも一方と、バルブシートとの間へのデポジットの噛み込みの有無を判定するデポジット付着判定ステップと、燃料噴射弁の開閉動作により燃料噴射の制御を実行する噴射弁開閉ステップと、を備える。そして、本態様に係るエンジンの制御方法では、アクセルがオフ状態であって、前記デポジットの噛み込み有りとの判定がなされた第１期間と、前記第１期間中になされた前記デポジットの噛み込み有りとの判定の継続中において、前記アクセルがオン状態とされたアクセルオン期間と、前記アクセルオン期間の後、前記第１期間中になされた前記デポジットの噛み込み有りとの判定の継続中において、再び前記アクセルがオフ状態とされた第２期間と、が順に設定され、前記第２期間では、当該期間中、継続的に前記燃料噴射を実行する。
【００２６】
上記態様に係るエンジンの制御方法では、第２期間中において、継続的に燃料噴射を実行する（フューエルカットを中断する）ので、燃焼圧（筒内圧）を利用してデポジットを押し潰す機会を増やすことができる。よって、上記態様に係るエンジンの制御方法では、エンジンが停止する前に、デポジットをより確実に除去することができる。
【００２７】
従って、上記態様に係るエンジンの制御方法では、吸排気バルブとバルブシートとの間にデポジットが噛み込んだ場合にあっても、エンジンの停止前に当該デポジットを除去することができ、良好な再始動性が確保可能である。
【００２８】
本発明の一態様に係るエンジンの制御装置は、開閉動作により前記エンジンの燃焼室への燃料噴射量を調節する燃料噴射弁と、アクセルのオン・オフ状態に関するアクセル開度情報の入力を受け付けるとともに、前記燃料噴射弁の開閉制御により燃料噴射の制御を実行する制御部と、を備える。そして、本態様に係るエンジンの制御装置では、前記制御部は、前記アクセルがオフ状態である期間中において、吸気バルブ及び排気バルブの少なくとも一方と、バルブシートとの間へのデポジットの噛み込み無しと判定した場合には、前記アクセルがオフ状態となった後、前記エンジンの回転数が第１回転数よりも高い回転数から該第１回転数に低下するまでの期間中に、前記燃料噴射を停止し、前記エンジンの回転数が前記第１回転数以下となった時に、前記燃料噴射を再開し、前記デポジットの噛み込み有りと判定した場合には、前記アクセルがオフ状態となった後、前記エンジンの回転数が前記第１回転数よりも高く設定された第２回転数よりも高い回転数から該第２回転数に低下するまでの期間中に、前記燃料噴射を停止し、前記エンジンの回転数が前記第２回転数以下となった時に、前記燃料噴射を再開する。
【００２９】
上記態様に係るエンジンの制御装置では、制御部は、デポジットの噛み込み有りと判定した場合、エンジンの回転数が第２回転数以下となった時に、燃料噴射弁を開状態として燃料噴射を再開する。これにより、上記態様に係るエンジンの制御装置では、燃料噴射を再開して以降、エンジンの回転数がゼロとなるまで（エンジンが停止するまで）の間、燃焼圧（筒内圧）を利用してデポジットを除去することが可能である。即ち、上記態様に係るエンジンの制御装置では、制御部がデポジットの噛み込み有りと判定の場合のフューエルカットからの復帰タイミングを、デポジットの噛み込みが無い場合よりも早くすることで、燃焼圧を利用したデポジットの押し潰しの機会を増やすことができる。
【００３０】
従って、上記態様に係るエンジンの制御装置では、吸排気バルブとバルブシートとの間にデポジットが噛み込んだ場合にあっても、エンジンの停止前に当該デポジットを除去することができ、良好な再始動性が確保可能である。
【００３１】
なお、上記態様に係るエンジンの制御装置では、制御部が、燃料噴射を一旦停止状態とした（フューエルカットした）後、再開させるので、ドライバに対してある程度の減速感を与えることができ、ドライバの違和感を緩和することができる。
【００３２】
本発明の別態様に係るエンジンの制御装置は、上記態様において、前記エンジンのクランク角速度を検出するクランク角センサを、さらに備え、前記制御部は、前記クランク角センサからのクランク角速度情報に基づくとともに、前記燃料噴射の停止状態の継続中に、前記デポジットの噛み込みの有無の判定を実行する。
【００３３】
上記態様に係るエンジンの制御装置では、制御部は、デポジット付着判定に際して、クランク角センサからのクランク角速度情報に基づいてデポジットの噛み込みの有無を判定するので、高い精度でのデポジットの噛み込み判定が実行できる。即ち、気筒内に設けた圧力センサからの圧力情報に基づきデポジットの噛み込みの有無を判定する場合等に比べて、上記態様に係るエンジンの制御装置では、微小なデポジットが噛み込んだ場合にも高精度に判定がなされる。
【００３４】
また、上記態様に係るエンジンの制御装置では、制御部は、燃料噴射の停止状態が継続中にデポジットの噛み込みの有無を判定するので、燃焼によるトルク変動の影響を受けず、微小量のデポジットであっても高精度に検出することができる。
【００３５】
本発明の別態様に係るエンジンの制御装置は、上記態様において、前記制御部は、前記クランク角センサからのクランク角速度情報に基づき、前記エンジンにおける圧縮行程中での所定のクランク角範囲の通過に要する第１通過時間を算出し、前記クランク角センサからのクランク角速度情報に基づき、前記エンジンにおける前記圧縮行程後での所定のクランク角範囲の通過に要する第２通過時間を算出し、前記第１通過時間と前記第２通過時間との比を算出し、前記第１通過時間と前記第２通過時間との比が所定の閾値以下であると判断した場合に、デポジットの噛み込み有りと判定する。
【００３６】
上記態様に係るエンジンの制御装置では、制御部は、第１通過時間と第２通過時間との比（クランク角速度比）に基づき、デポジットの噛み込みの有無を判定するので、エンジンの回転数が高い状態であっても高い精度を以ってデポジットの噛み込みの有無を検出することができる。
【００３７】
本発明の一態様に係るエンジンの制御装置は、開閉動作により前記エンジンの燃焼室への燃料噴射量を調節する燃料噴射弁と、アクセルのオン・オフ状態に関するアクセル開度情報の入力を受け付けるとともに、前記燃料噴射弁の開閉制御により燃料噴射の制御を実行する制御部と、を備える。そして、本態様に係るエンジンの制御装置では、前記制御部は、前記アクセルがオフ状態である期間中において、吸気バルブ及び排気バルブの少なくとも一方と、バルブシートとの間へのデポジットの噛み込み無しと判定した場合には、前記アクセルがオフ状態となった時に、前記燃料噴射を停止し、前記デポジットの噛み込み有りと判定した場合には、前記アクセルがオフ状態となった後の所定の期間中に、前記燃料噴射を実行する。
【００３８】
上記態様に係るエンジンの制御装置では、制御部は、デポジットの噛み込み有りと判定した場合、その直後から燃料噴射を実行する（フューエルカットを中断する）ので、デポジットの噛み込み無しと判定した場合に比べて、燃焼室での燃焼時間を長くすることができる。よって、上記態様に係るエンジンの制御装置では、制御部がデポジットの噛み込みの有無の判定を行った直後から、燃焼圧（筒内圧）を利用してデポジットを押し潰す機会を増やすことができる。
【００３９】
従って、上記態様に係るエンジンの制御装置では、吸排気バルブとバルブシートとの間にデポジットが噛み込んだ場合にあっても、エンジンの停止前に当該デポジットを除去することができ、良好な再始動性が確保可能である。
【００４０】
本発明の別態様に係るエンジンの制御装置は、上記態様において、前記制御部は、前記アクセルがオフ状態である第１期間中に、前記デポジットの噛み込み有りと判定し、前記第１期間中になされた前記デポジットの噛み込み有りとの判定の継続中に、前記アクセルがオン状態とされ、再び前記アクセルがオフ状態となった第２期間中では、継続的に前記燃料噴射を実行する。
【００４１】
上記態様に係るエンジンの制御装置では、第２期間中において、制御部が継続的に燃料噴射を実行する（フューエルカットを中断する）ので、燃焼圧（筒内圧）を利用してデポジットを押し潰す機会を増やすことができる。よって、上記態様に係るエンジンの制御装置では、エンジンが停止する前に、デポジットをより確実に除去することができる。
【００４２】
本発明の一態様に係るエンジンの制御装置は、開閉動作により前記エンジンの燃焼室への燃料噴射量を調節する燃料噴射弁と、アクセルのオン・オフ状態に関するアクセル開度情報の入力を受け付けるとともに、前記燃料噴射弁の開閉制御により燃料噴射の制御を実行する制御部と、を備える。そして、本態様に係るエンジンの制御装置では、前記アクセルがオフ状態であって、前記制御部が、吸気バルブ及び排気バルブの少なくとも一方と、バルブシートとの間へのデポジットの噛み込み有りと判定した第１期間と、前記第１期間中になされた前記デポジットの噛み込み有りとの判定の継続中において、前記アクセルがオン状態とされたアクセルオン期間と、前記アクセルオン期間の後、前記第１期間中になされた前記デポジットの噛み込み有りとの判定の継続中において、再び前記アクセルがオフ状態とされた第２期間と、が順に設定され、前記制御部は、前記第２期間において、継続的に前記燃料噴射を実行する。
【００４３】
上記態様に係るエンジンの制御装置では、第２期間中において、制御部が継続的に燃料噴射を実行する（フューエルカットを中断する）ので、燃焼圧（筒内圧）を利用してデポジットを押し潰す機会を増やすことができる。よって、上記態様に係るエンジンの制御装置では、エンジンが停止する前に、デポジットをより確実に除去することができる。
【００４４】
従って、上記態様に係るエンジンの制御装置では、吸排気バルブとバルブシートとの間にデポジットが噛み込んだ場合にあっても、エンジンの停止前に当該デポジットを除去することができ、良好な再始動性が確保可能である。
【００４５】
本発明の一態様に係るエンジンの制御装置は、開閉動作により前記エンジンの燃焼室への燃料噴射量を調節する燃料噴射弁と、前記エンジンのクランク角速度を検出するクランク角センサと、アクセルのオン・オフ状態に関するアクセル開度情報、及び前記クランク角センサからのクランク角速度情報の入力を受け付けるとともに、前記燃料噴射弁の開閉制御により燃焼噴射の制御を実行する制御部と、を備える。そして、本態様に係るエンジンの制御装置では、前記制御部は、前記アクセルがオフ状態である期間中において、前記クランク角速度情報を基とする、前記エンジンにおける圧縮行程中での所定のクランク角範囲の通過に要する第１通過時間と、前記エンジンにおける前記圧縮行程後での所定のクランク角範囲の通過に要する第２通過時間との比が、所定の閾値よりも大きい場合には、前記エンジンの回転数が第１回転数よりも高い回転数から該第１回転数に低下するまでの期間中、前記燃料噴射を停止し、前記エンジンの回転数が前記第１回転数以下となった時に、前記燃料噴射を再開し、前記比が前記所定の閾値以下である場合には、前記エンジンの回転数が前記第１回転数よりも高く設定された第２回転数よりも高い回転数から該第２回転数に低下するまでの期間中に、前記燃料噴射を停止し、前記エンジンの回転数が前記第２回転数以下となった時に、前記燃料噴射を再開する。
【００４６】
上記態様に係るエンジンの制御装置では、制御部は、前記比が前記所定の閾値以下である場合、エンジンの回転数が第２回転数以下となった時に、燃料噴射弁を開状態として燃料噴射を再開する。これにより、上記態様に係るエンジンの制御装置では、上記比が上記所定の閾値以下の場合のフューエルカットからの復帰タイミングを、上記比が上記所定の閾値より大きい場合に比べて早くすることで、燃焼圧を利用したデポジットの押し潰しの機会を増やすことができる。
【００４７】
従って、上記態様に係るエンジンの制御装置では、吸排気バルブとバルブシートとの間にデポジットが噛み込んだと推定される場合にあっても、エンジンの停止前に当該デポジットを除去することができ、良好な再始動性が確保可能である。
【発明の効果】
【００４８】
上記の各態様では、吸排気バルブとバルブシートとの間にデポジットが噛み込んだ場合にあっても、エンジンの停止前に当該デポジットを除去することができ、良好なエンジンの再始動性を確保することができる。
【図面の簡単な説明】
【００４９】
【図１】実施形態１に係るエンジン１の構成とＰＣＭ２とを示す模式図である。
【図２】制御システムの構成を示す模式図である。
【図３】エンジン本体１０の一部構成を示す模式断面図である。
【図４】クランクプレート１９の構成を示す模式斜視図である。
【図５】クランク角センサＳＮＳ１から入力されるパルス信号をクランク角の変化軸上で示す図である。
【図６】ＰＣＭ２が実行するデポジット付着判定及びデポジット除去の各制御方法を示すフローチャートである。
【図７】実施例１に係るエンジンの制御において、エンジン回転数とフューエルカット状態からの復帰タイミングとの関係を示すタイミングチャートである。
【図８】実施例２に係るエンジンの制御において、エンジン回転数とフューエルカット状態からの復帰タイミングとの関係を示すタイミングチャートである。
【図９】実施形態２における実施例３に係るエンジンの制御において、デポジット付着判定とフューエルカット実行期間との関係を示すタイミングチャートである。
【図１０】実施形態２における実施例４に係るエンジンの制御において、デポジット付着判定とフューエルカット状態からの復帰タイミングとの関係を示すタイミングチャートである。
【図１１】実施形態３に係るエンジンの制御において、ＰＣＭが実行するデポジット付着判定及びデポジット除去の各制御方法を示すフローチャートである。
【図１２】図１１のステップＳ３０における実行内容を示すフローチャートである。
【発明を実施するための形態】
【００５０】
以下では、本発明の実施形態について、図面を参酌しながら説明する。なお、以下で説明の形態は、本発明の一態様であって、本発明は、その本質的な構成を除き何ら以下の形態に限定を受けるものではない。
【００５１】
［実施形態１］
１．エンジン１の全体構成
本実施形態に係るエンジン１の全体構成について、図１を用い説明する。
【００５２】
図１に示すように、エンジン１は、エンジン本体１０を備える。本実施形態において、エンジン本体１０として多気筒（例えば、４気筒）のディーゼルエンジン（圧縮着火式エンジン）を採用している。エンジン本体１０は、複数の気筒１１ａを有するシリンダブロック１１と、当該シリンダブロック１１上に配設されたシリンダヘッド１２と、シリンダブロック１１下に配設されたオイルパン１３と、を有している。なお、図１では、エンジン本体１０における複数の気筒１１ａの内、１つの気筒１１ａのみを図示している。
【００５３】
エンジン本体１１の各気筒１１ａには、ピストン１４が上下方向に往復動可能なように設けられている。そして、各ピストン１４の冠面には、下方に向けて凹入したキャビティが形成されている。
【００５４】
各ピストン１４は、下部において、コンロッド１４ｂを介してクランクシャフト１５に連結されている。クランクシャフト１５は、各ピストン１４の上下方向への往復動により、図１の紙面に垂直な方向に延伸する中心軸回りに回転する。
【００５５】
クランクシャフト１５には、当該クランクシャフト１５と一体に回転するクランクプレート１９が取り付けられている。そして、エンジン本体１０には、クランクプレート１９の回転角を検出するためのクランク角センサ（エンジン回転数センサ）ＳＮＳ１が設けられている。これらについては、後述する。
【００５６】
シリンダヘッド１２には、各気筒１１ａの燃焼室１４ａに開口する吸気ポート１６及び排気ポート１７が形成されている。また、シリンダヘッド１２には、吸気ポート１６の開閉を行う吸気バルブ２１と、排気ポート１７の開閉を行う排気バルブ２２と、が設けられている。
【００５７】
また、シリンダヘッド１２には、燃焼室１４ａに対して燃料を噴射するインジェクタ１８が各気筒１１ａごとに設けられている。本実施形態では、エンジン本体１０としてディーゼルエンジンを採用しているので、インジェクタ１８からは、燃焼室１４ａに対して軽油を主成分とする燃料が噴射される。
【００５８】
インジェクタ１８は、その先端に備わる噴口（燃料の噴射口）がピストン１４の冠面のキャビティに臨むように配置されており、圧縮上死点（圧縮行程の終了点）の前後にわたる所定の期間中のタイミングに、燃焼室１４ａに対して燃料を噴射する。
【００５９】
図１に示すように、エンジン本体１０の吸気ポート１６には、吸気通路３０が接続されている。また、エンジン本体１０の排気ポート１７には、排気通路４０が接続されている。吸気通路３０及び排気通路４０は、それぞれエンジン本体１０の側壁部分に接合されている。
【００６０】
エンジン本体１０の燃焼室１４ａに対しては、外部から取り込まれた吸入空気が吸気通路３０及び吸気ポート１６を通して導入される。また、燃焼室１４ａからは、当該燃焼室１４ａで生成された燃焼ガス（排気ガス）が排気ポート１７及び排気通路４０を通して排出される。
【００６１】
吸気通路３０中及び排気通路４０中には、第１ターボ過給機６１及び第２ターボ過給機６２が介設されている。
【００６２】
第１ターボ過給機６１は、吸気通路３０中に配設されたコンプレッサ６１ａと、当該コンプレッサ６１ａと同軸で連結され、排気通路４０中に配設されたタービン６１ｂと、を有している。同様に、第２ターボ過給機６２は、吸気通路３０中に配設されたコンプレッサ６２ａと、当該コンプレッサ６２ａと同軸で連結され、排気通路４０中に配設されたタービン６２ｂと、を有している。
【００６３】
第１ターボ過給機６１は、そのコンプレッサ６１ａ及びタービン６１ｂが、第２ターボ過給機６２のコンプレッサ６２ａ及びタービン６２ｂよりも大きなサイズとなっている。即ち、吸気上流側に配置されている第１ターボ過給機６１は、吸気下流側に配置されている第２ターボ過給機６２よりも大型の過給機が採用されている。
【００６４】
第１ターボ過給機６１及び第２ターボ過給機６２は、排気エネルギーにより駆動され、吸入空気を圧縮する。即ち、エンジン１の運転中において、排気通路４０を高温・高速の排気ガスが通過した場合には、その排気ガスのエネルギーにより各ターボ過給機６１，６２のタービン６１ｂ，６２ｂが回転し、これにより同軸で連結されたコンプレッサ６１ａ，６２ａが回転する。吸気通路３０を通り導入される空気は、タービン６１ａ，６２ａの回転に伴って圧縮されて高圧化される。そして、高圧化された空気がエンジン本体１０の燃焼室１４ａへと送り込まれる。
【００６５】
吸気通路３０は、吸気バイパス通路６３を有している。吸気バイパス通路６３は、第２ターボ過給機６２のコンプレッサ６２ａをバイパスするための経路である。吸気バイパス通路６３には、開閉可能な吸気バイパスバルブ６３ａが設けられている。
【００６６】
吸気通路３０の上流端部には、エアクリーナー３１が設けられている。エアクリーナー３１は、吸気通路３０に取り込む空気を濾過するものである。
【００６７】
吸気通路３０には、第２ターボ過給機６２よりも吸気下流側に、インタークーラー３５及び吸気シャッターバルブ３６が順に設けられている。インタークーラー３５は、第１ターボ過給機６１及び第２ターボ過給機６２により圧縮された空気を冷却するためのものである。吸気シャッターバルブ３６は、エンジン本体１０の運転中には基本的に全開若しくはそれに近い開度に維持され、エンジン本体１０の停止時等の必要時にのみ閉弁される。
【００６８】
吸気通路３０は、吸気下流端部にサージタンク３３を有する。なお、詳細な図示をしていないが、吸気通路３０において、サージタンク３３よりも吸気下流側は、気筒１１ａごとに分岐した独立通路となっており、各独立通路の下流端が各気筒１１ａの吸気ポート１６にそれぞれ接続されている。
【００６９】
排気通路４０は、第１排気バイパス通路６５と、第２排気バイパス通路６６と、を有する。第１排気バイパス通路６５は、第２ターボ過給機６２のタービン６２ｂをバイパスするための通路である。第２排気バイパス通路６６は、第１ターボ過給機６１のタービン６１ｂをバイパスするための通路である。
【００７０】
第１排気バイパス通路６５には、開閉可能なレギュレートバルブ６５ａが設けられている。第２排気バイパス通路６６には、同じく開閉可能なウェストゲートバルブ６６ａが設けられている。
【００７１】
排気通路４０には、第１ターボ過給機６１のタービン６１ｂよりも排気下流側に排気浄化装置４１が設けられている。排気浄化装置４１よりも排気下流側には、図示を省略している排気サイレンサが設けられている。
【００７２】
排気浄化装置４１は、ＤＯＣ（Ｄｉｅｓｅｌ  Ｏｘｉｄａｔｉｏｎ  Ｃａｔａｌｙｓｔ）４１ａと、ＤＰＦ（Ｄｉｅｓｅｌ  Ｐａｒｔｉｃｕｌａｔｅ  Ｆｉｌｔｅｒ）４１ｂとの組み合わせにより構成されている。ＤＯＣ４１ａとＤＰＦ４１ｂとは、排気の流れ方向に直列に配置されており、ＤＯＣ４１ａがＤＰＦ４１ｂに対して排気上流側に配置されている。ＤＯＣ４１ａは、通過する排気ガス中の一酸化炭素（ＣＯ）や炭化水素（ＨＣ）を酸化するものであり、ＤＰＦ４１ｂは、通過する排気ガス中に含まれる煤等の粒子状物質を捕集するものである。
【００７３】
詳細な図示をしていないが、排気通路４０において、第１排気バイパス通路６５の排気上流側の分岐点よりも上流側は、排気マニホールドとなっている。排気マニホールドは、各気筒１１ａの排気ポート１７に接続される独立通路部と、各独立通路部が集合する集合部とを含み構成されている。
【００７４】
吸気通路３０におけるサージタンク３０の吸気上流側の箇所と、排気通路４０における第２ターボ過給機６２のタービン６２ｂの排気上流側の箇所と、の間には、ＥＧＲ通路５１が設けられている。ＥＧＲ通路５１には、当該ＥＧＲ通路５１内を流通するＥＧＲガスを冷却するためのＥＧＲクーラ５２と、ＥＧＲ通路５１内のＥＧＲガスの流通量（排気ガスの還流量）を調整するためのＥＧＲバルブ５１ａが設けられている。
【００７５】
また、ＥＧＲ通路５１に対しては、ＥＧＲバイパス通路５３が並列に設けられている。ＥＧＲバイパス通路５３は、ＥＧＲクーラ５２をバイパスするための通路であって、ＥＧＲバイパスバルブ５３ａが設けられている。
【００７６】
図１に示すように、エンジン１には、当該エンジン１から各種センサ情報を取得し、各バルブ等を制御するＰＣＭ（Ｐｏｗｅｒｔｒａｉｎ  Ｃｏｎｔｒｏｌ  Ｍｏｄｕｌｅ）２が付設されている。ＰＣＭ２は、ＣＰＵ、メモリ、カウンタタイマ類、及びＩ／Ｆ等を有するマイクロプロセッサにより構成されている。
【００７７】
２．制御システム
本実施形態に係るエンジン１を制御するための制御システムについて、図２を用い説明する。
【００７８】
図２に示すように、エンジン１の制御部であるＰＣＭ２には、クランク角センサ（エンジン回転数センサ）ＳＮＳ１からのクランク角速度情報、吸気圧センサＳＮＳ２からの吸気圧情報、車速センサＳＮＳ３からの車速情報、ブレーキ圧センサＳＮＳ４からのブレーキ圧情報、ギヤポジションセンサＳＮＳ５からのギヤポジション情報、水温センサＳＮＳ６からの水温情報、油圧センサＳＮＳ７からの油圧情報、吸気シャッターバルブポジションセンサＳＮＳ８からのシャッターバルブポジション情報、ＥＧＲバルブポジションセンサＳＮＳ９からのＥＧＲバルブポジション情報を取得する。
【００７９】
なお、図２では、図示を省略しているが、ＰＣＭ２は、アクセル開度に関する情報についても取得するようになっている。
【００８０】
ＰＣＭ２は、取得した上記各センサ情報に基づいて、燃料噴射弁３７の弁開度、吸気シャッターバルブ３６の弁開度、トルクコンバータを含む変速機３、及びＥＧＲバルブ５１ａを含むエンジン１の各種制御を実行する。
【００８１】
３．エンジン本体１０における吸気バルブ２１周りの構成
エンジン本体１０における吸気バルブ２１周りの構成について、図３を用い説明する。
【００８２】
図３に示すように、エンジン本体１０の燃焼室１４ａに対しては、吸気ポート１６と排気ポート１７とが連通されている。吸気ポート１６と燃焼室１４ａとの間には、その間の開閉を行う吸気バルブ２１が設けられている。また、排気ポート１７と燃焼室１４ａとの間には、その間の開閉を行う排気バルブ２２が設けられている。
【００８３】
図３の拡大部分に示すように、吸気バルブ２１は、弁体であるバルブ傘部２１ａと、軸体であるバルブ軸部２１ｂとが一体形成されている。そして、吸気バルブ２１が閉じた状態では、バルブ傘部２１ａの外周部がシリンダヘッド１２のバルブシート１２ａに気密に当接することとなる。
【００８４】
ところで、吸気通路３０の内壁面に付着したデポジットが、何らかの拍子に剥がれ、燃焼室１４ａ方向に流れることがある。流れてきたデポジットは、その一部が吸気バルブ２１のバルブ傘部２１ａとバルブシート１２ａとの間に噛み込むことが生じ得る。また、同様に、排気バルブ２２とバルブシートとの間にデポジットが噛み込むことも生じ得る。
【００８５】
上記のように、吸気バルブ２１や排気バルブ２２とバルブシート１２ａとの間にデポジットが噛み込んだ場合には、圧縮漏れが生じ、着火不良の原因となる。そして、圧縮漏れが生じた状態でエンジンを停止した場合には、再始動が困難となる場合も生じ得る。
【００８６】
４．クランクプレート１９の構成とクランク角速度情報の検出
クランクプレート１９の構成とクランク角速度情報の検出について、図４及び図５を用い説明する。図４は、クランクプレート１９の構成を示す模式斜視図である。図５は、クランク角センサＳＮＳ１から入力されるパルス信号をクランク角の変化軸上で示す図である。
【００８７】
先ず、図４に示すように、クランクプレート１９は、円環状のプレートであって、クランクシャフト１５と一体に軸芯Ａｘ１５回りに回転する。クランクプレート１９の外周部分には、径方向外向きに複数の歯部１９ａが突出形成されている。ただし、周方向の一部には、歯部１９ａが形成されていない歯欠け部１９ｂが設けられている（矢印Ａで指し示す部分）。
【００８８】
なお、本実施形態に係るクランクプレート１９においては、歯部１９ａが６°間隔で設けられている。即ち、クランク角センサＳＮＳ１が５つの歯部１９ａを検出することにより、クランクシャフト１５が３０°ＣＡを検出することになる。
【００８９】
次に、図５に示すように、クランク角センサＳＮＳ１から入力されるパルス信号は、３０°ＣＡごとに、区間（クランク角範囲）Ｉｎｔ１〜Ｉｎｔ７，・・に区切られる。そして、各期間Ｉｎｔ１〜Ｉｎｔ７，・・の通過に要する時間Ｔ１〜Ｔ７，・・がＰＣＭ２で演算される。
【００９０】
なお、図５に示すように、本実施形態では、区間Ｉｎｔ５中に圧縮上死点（ＴＤＣ；Ｔｏｐ  Ｄｅａｄ  Ｃｅｎｔｅｒ）が含まれている。また、図５では図示していないが、圧縮下死点（ＢＤＣ；Ｂｏｔｔｏｍ  Ｄｅａｄ  Ｃｅｎｔｅｒ）は、圧縮上死点ＴＤＣに対して１８０°ＣＡずれた位置に設定されている。
【００９１】
ここで、ＰＣＭ２において、燃料噴射量の算出は、区間Ｉｎｔ１の終了タイミング（区間Ｉｎｔ２の開始タイミング）で行われるようになっている。
【００９２】
また、吸気バルブ２１や排気バルブ２２とバルブシート１２ａとの間へのデポジットの噛み込みがなく、圧縮漏れがない状態では、圧縮上死点ＴＤＣを含む区間Ｉｎｔ５の通過に要する時間Ｔ５は、その後の区間、例えば、区間Ｉｎｔ７の通過に要する時間Ｔ７よりも長くなる。即ち、［数１］の関係を満たす。
【００９３】
［数１］Ｔ５＞Ｔ７
これは、区間Ｉｎｔ５においては、圧縮漏れがなく気筒１１ａの筒内圧が高くなるためにピストン１４の上昇速度が遅くなることによるものである。
【００９４】
一方、吸気バルブ２１や排気バルブ２２とバルブシート１２ａとの間へのデポジットの噛み込みが発生し、圧縮漏れが生じている状態では、時間Ｔ５と時間Ｔ７との比が“１”に近付くこととなる。
【００９５】
本実施形態において、ＰＣＭ２は、クランク角センサＳＮＳ１からのクランク角速度情報に基づき、時間Ｔ５と時間Ｔ７との比率が、予め設定された閾値（通常時よりも“１”に近い値）に近付いた場合に、吸気バルブ２１や排気バルブ２２とバルブシート１２ａとの間へのデポジットの噛み込みが発生していると判定する。
【００９６】
５．ＰＣＭ２によるデポジット付着判定とデポジット除去制御
ＰＣＭ２によるデポジット付着判定及びデポジット除去の具体的な方法について、図６を用い説明する。図６は、ＰＣＭ２が実行するデポジット付着判定及びデポジット除去の各制御方法を示すフローチャートである。
【００９７】
図６に示すように、ＰＣＭ２は、先ず、上記のように各センサＳＮＳ１〜ＳＮＳ９からのセンサ情報を含む複数のセンサ情報を逐次取得する（ステップＳ１）。次に、ＰＣＭ２は、車両の走行中において、アクセルオフに伴うフューエルカット（燃料噴射を停止）中か否かを判断する（ステップＳ２）。
【００９８】
なお、平坦路においては、車両の走行中にフューエルカットが実行されると、車両は減速することになる。ただし、下り坂などでは、必ずしも減速しない場合もあるが、ステップＳ２では、車両が必ずしも減速していない場合も含めてフューエルカットが実行されているか否かを判断する。
【００９９】
次に、ＰＣＭ２は、ステップＳ２の判断において、フューエルカット中であると判断した場合には（ステップＳ２；Ｙｅｓ）、気筒１１ａにおける筒内圧縮状態を検出する（ステップＳ３）。この検出は、上記のように、クランク角速度情報に基づき、区間Ｉｎｔ５の通過に要する時間Ｔ５と区間Ｉｎｔ７の通過に要する時間Ｔ７との比を用い実行される。さらに具体的には、値（Ｔ５／Ｔ７）を算出することで筒内圧縮状態を検出する。
【０１００】
ＰＣＭ２は、上記ステップＳ３で求めた値（Ｔ５／Ｔ７）を、予め設定された閾値と比較する（ステップＳ４）。そして、ＰＣＭ２は、ステップＳ４での比較により吸気バルブ２１及び排気バルブ２２とバルブシート１２ａとの間へのデポジットの噛み込みがあると判定した場合には（ステップＳ５；Ｙｅｓ）、“デポジットの付着あり“とのカウント（ｍ←ｍ＋１）を行う（ステップＳ６）。
【０１０１】
ＰＣＭ２は、ステップＳ６の後に、カウント値ｍが予め設定された所定の回数Ｍ以上であるか否かを判定する（ステップＳ７）。なお、所定の回数Ｍは、エンジン１の構成などを考慮の上、実験的あるいは経験的に設定された値である。
【０１０２】
ＰＣＭ２は、ステップＳ７において、“ｍ≧Ｍ”であると判定した場合には（ステップＳ７；Ｙｅｓ）、デポジット除去実行フラグをセットし（ステップＳ８）、デポジット除去制御を実行する（ステップＳ８〜ステップＳ１３）。
【０１０３】
ＰＣＭ２は、デポジット除去制御の１つとして、ロックアップ解除回転数をＲＬ０からＲＬ１に変更する（ステップＳ９）。通常のロックアップ解除回転数ＲＬ０よりも低い回転数ＲＬ１までロックアップ状態を維持し、これにより車輪の回転を利用してエンジン本体１０の運転（クランクシャフト１５の回転）を維持することで、噛み込んだデポジットを押し潰す（除去する）機会を増大させることができる。
【０１０４】
なお、ＲＬＯは、例えば１２００ｒｐｍ程度であり、それに対して、ＲＬ１は、例えば、９００ｒｐｍ程度である。
【０１０５】
また、ＰＣＭ２は、デポジット除去制御の他の方法として、フューエルカット復帰回転数をＲＦ０からＲＦ１に変更する（ステップＳ１０）。このように、通常のフューエルカット復帰回転数ＲＦ０よりも高いＲＦ１とすることにより、フューエルカットの実行可能な時間を短くすることができ、これによって燃焼室１４ａにおける燃焼圧を利用してデポジットを押し潰す（除去する）機会を増大させることができる。ステップＳ１０におけるフューエルカット復帰回転数の制御の詳細については、後述する。
【０１０６】
なお、ＲＦ０は、例えば９００ｒｐｍ程度であり、ＲＦ１は、例えば、１２００ｒｐｍ程度である。
【０１０７】
また、ＰＣＭ２は、デポジット除去制御の他の方法として、アイドルストップを禁止する（ステップＳ１１）。これにより、アイドルストップを禁止することにより、圧縮漏れに起因するエンジン１の再始動失敗を抑制できるとともに、燃焼室１４ａにおける燃焼圧を利用してデポジットの除去を行うことができる。
【０１０８】
また、ＰＣＭ２は、デポジット除去制御の他の方法として、吸気シャッターバルブ３６の開度を、通常の開度ＯＶ０よりも大きいＯＶ１に変更する（ステップＳ１２）。このように、吸気シャッターバルブ３６の開度を通常よりも大きいＯＶ１に変更することで、気筒１１ａにおける筒内圧を高めることができ、デポジットを押し潰す（除去する）ことができる可能性を高めることができる。
【０１０９】
また、ＰＣＭ２は、デポジット除去制御の他の方法として、ＥＧＲバルブ５１ａの弁開度を、通常の開度ＯＥ０よりも小さいＯＥ１に変更する（ステップＳ１３）。このように、ＥＧＲバルブ５１ａの弁開度を通常よりも小さいＯＥ１に変更することで、吸気圧を高め吸気流速を利用して付着したデポジットを剥すことができる。また、ＥＧＲバルブ５１ａの弁開度をＯＥ１とすることにより、気筒１１ａにおける筒内圧を高めることもでき、吸気バルブ２１の閉弁中においてもデポジットを押し潰す（除去する）ことが可能となる。
【０１１０】
なお、図１を用い説明したように、本実施形態に係るエンジン１では、ＥＧＲバイパス通路５３も設けられているため、当該ＥＧＲバイパス通路５３に設けられたＥＧＲバイパスバルブ５３ａについても、その開度を小さくすることが望ましい。これにより、より一層効果的にデポジットを押し潰すことができる。
【０１１１】
図６のフローチャートにおいては、ステップＳ９〜ステップＳ１３を順序付けて図示しているが、実際には、ＰＣＭ２がステップＳ７で“Ｙｅｓ”と判定すれば、ステップＳ９〜ステップＳ１３の各デポジット除去制御を同時並行的に実施する。
【０１１２】
次に、ＰＣＭ２は、ステップＳ７で“Ｎｏ”と判定した場合には、リターンする。
【０１１３】
また、ＰＣＭ２は、ステップＳ５で“Ｎｏ”と判定した場合、即ち、吸気バルブ２１及び排気バルブ２２とバルブシート１２ａとの間へのデポジットの噛み込みが無いと判定した場合には、“デポジットの付着なし“とのカウント（ｎ←ｎ＋１）を行う（ステップＳ１４）。
【０１１４】
ＰＣＭ２は、ステップＳ１４の後に、カウント値ｎが予め設定された所定の回数Ｎ以上であるか否かを判定する（ステップＳ１５）。なお、所定の回数Ｎについても、エンジン１の構成などを考慮の上、実験的あるいは経験的に設定された値である。
【０１１５】
ＰＣＭ２は、ステップＳ１５において、“ｎ≧Ｎ”であると判定した場合には（ステップＳ１５；Ｙｅｓ）、デポジット除去実行フラグをリセットし（ステップＳ１６）、デポジット除去制御を停止し、各種変更条件を元の条件へと復帰させる（ステップＳ１７〜ステップＳ２１）。
【０１１６】
具体的には、ロックアップ解除回転数をＲＬ１からＲＬ０へと戻し（ステップＳ１７）、フューエルカット復帰回転数をＲＦ１からＲＦ０へと戻し（ステップＳ１８）、アイドルストップ禁止を解除し（ステップＳ１９）、吸気シャッターバルブ開度をＯＶ１からＯＶ０へと戻し（ステップＳ２０）、ＥＧＲバルブ開度をＯＥ１からＯＥ０へと戻す（ステップＳ２１）。
【０１１７】
なお、デポジット除去制御の実行により、ＥＧＲバイパスバルブ５３ａの弁開度を小さくしていた場合には、当該ＥＧＲバイパスバルブ５３ａの弁開度も元の開度へと復帰させる。
【０１１８】
ＰＣＭ２は、ステップＳ１５で“Ｎｏ”と判定した場合には、リターンする。
【０１１９】
また、ＰＣＭ２は、ステップＳ２で“Ｎｏ”と判定した場合、即ち、エンジン１がフューエルカット中ではないと判定した場合には、デポジット除去制御が実行中であるか否かを判定する（ステップＳ２２）。デポジット除去制御の実行中であると判定した場合には（ステップＳ２２；Ｙｅｓ）、車両の車速ｖが予め設定された閾値以上であるか否かを判定する（ステップＳ２３）。
【０１２０】
ＰＣＭ２は、ステップＳ２３において、“ｖ≧Ｖ”であると判定した場合には、ステップＳ１６からステップＳ２１を実行する。即ち、ステップＳ２３で“Ｙｅｓ”と判定した場合には、既にデポジットの除去がなされたものとみなし、デポジット除去実行フラグをリセットし（ステップＳ１６）、デポジット除去制御を停止し、各種変更条件を元の条件へと復帰させる（ステップＳ１７〜ステップＳ２１）。
【０１２１】
これは、エンジン１がフューエルカット中ではなく、且つ、車速ｖが予め設定された所定の速度Ｖ以上である場合には、燃焼走行によりデポジットは除去されたものとみなせるためである。なお、所定の速度Ｖは、実験的又は経験的に設定された値であり、例えば、４０ｋｍ／ｈ程度とすることができる。ただし、エンジン１の種類などにより、適宜の変更が可能である。
【０１２２】
ＰＣＭ２は、ステップＳ２２及びステップＳ２３で“Ｎｏ”と判定した場合には、リターンする。
【０１２３】
６．デポジット除去制御の具体例
本実施形態に係るＰＣＭ２によるデポジット除去制御の具体例について、図７及び図８を用い説明する。図７は、実施例１に係るエンジンの制御において、エンジン回転数とフューエルカット制御との関係を示すタイミングチャートである。図８は、実施例２に係るエンジン１の制御において、エンジン回転数とフューエルカット制御との関係を示すタイミングチャートである。
【０１２４】
《実施例１》
先ず、実施例１に係るタイムチャートについて、図７を用い説明する。実施例１は、吸気バルブ２１及び排気バルブ２２とバルブシート１２ａとの間にデポジットが噛み込んでいない場合を想定している。
【０１２５】
図７に示すように、タイミングｔ１において、ドライバがアクセルオフし、アクセル開度が略ゼロまで低下する。それとともに燃料噴射量がタイミングｔ２に向かって漸減してゆく。燃料噴射は、タイミングｔ２においてカット（停止）される。即ち、タイミングｔ２において、燃料噴射量がゼロとなる。燃料噴射量がゼロになると、クランク角速度比（Ｔ５／Ｔ７）が安定するようになる。そして、燃料噴射量がゼロとなったタイミングｔ２から、ＰＣＭ２は、デポジット付着判定を開始する。即ち、本実施形態に係るＰＣＭ２は、燃料噴射量がゼロの状態が継続している期間中、デポジット付着判定を実行する。
【０１２６】
タイミングｔ３において、ＰＣＭ２は、デポジットが噛み込んでいないと判定する。ここで、タイミングｔ２からタイミングｔ３の間におけるＰＣＭ２によるデポジット付着の有無の判定は、上述のように、クランク角速度比（Ｔ５／Ｔ７）が、予め設定された閾値ＲＡｔｈ以下であるか否かにより行われる。即ち、クランク角速度比（Ｔ５／Ｔ７）が、予め設定された閾値ＲＡｔｈ以下である場合には、デポジットが付着していると判定し、閾値ＲＡｔｈよりも大きい場合には、デポジットが付着していないと判定する。図7に示すように、デポジットが付着していない実施例１では、クランク角速度比（Ｔ５／Ｔ７）は、閾値ＲＡｔｈよりも大きい。
【０１２７】
なお、上述のように、閾値ＲＡｔｈは、“１”よりも少し大きい値とすることができる。詳細な値については、エンジンの特性等を考慮して規定することが可能である。
【０１２８】
図７に示す実施例１では、デポジットの噛み込みの有無を判定し、その結果、噛み込みがないと判定しているので、デポジット付着判定に係るフラグは“０”のままである。このため、実施例１では、燃料噴射弁の開閉制御（フューエルカット制御）について、フューエルカット復帰に係るエンジン回転数が“ＲＦ０”のまま維持される。
【０１２９】
次に、エンジン回転数が所定の回転数ＲＦ０以下になったタイミングｔ４において、エンジンストール防止のために一旦燃料噴射が再開される（矢印Ｂで指し示す部分を参照）。なお、回転数ＲＦ０は、例えば、９００ｒｐｍ程度である。
【０１３０】
そして、タイミングｔ５において、車速が“０”になると（車両が停車すると）、燃料噴射が停止され、エンジン回転数も“０”となる。そして、タイミングｔ５以降、ドライバのアクセルオンに備える。
【０１３１】
《実施例２》
次に、実施例２に係るタイムチャートについて、図８を用い説明する。実施例２では、吸気バルブ２１及び排気バルブ２２の少なくとも一方と、バルブシート１２ａとの間にデポジットが噛み込んでいる場合を想定している。
【０１３２】
図８に示すように、実施例２では、タイミングｔ１０において、既にデポジットの噛み込みが発生している。
【０１３３】
次に、タイミングｔ１１において、ドライバがアクセルオフすると、アクセル開度が略ゼロまで低下し、上記実施例１と同様に、燃料噴射量がタイミングｔ１２に向かって漸減してゆく。そして、燃料噴射は、タイミングｔ１２においてカットされ、燃料噴射量がゼロとなる（燃料噴射が停止される）。上記同様に、ＰＣＭ２は、タイミングｔ１２からデポジット付着判定を開始し、タイミングｔ１３でデポジットの噛み込み有りと判定する。なお、上記同様に、本実施例でも、燃料噴射量がゼロ（フューエルカット）の状態でデポジットの噛み込みの有無を判定するので、トルク変動の影響を受けず、高い精度での判定が可能である。
【０１３４】
タイミングｔ１２からタイミングｔ１３に期間においてＰＣＭ２が実行するデポジット付着判定は、上記実施例１と同様に、クランク角速度比（Ｔ５／Ｔ７）が、予め設定された閾値ＲＡｔｈ以下であるか否かにより行われる。図８に示すように、デポジットが付着している本例では、クランク角速度比（Ｔ５／Ｔ７）は、閾値ＲＡｔｈ以下となっている。
【０１３５】
図８に示すように、ＰＣＭ２は、デポジットの噛み込み有りと判定した場合に、デポジット付着判定に係るフラグを“１”にセットし、フューエルカット制御に係るエンジン１の回転数を“ＲＦ０”から“ＲＦ１”へと変更する。なお、回転数ＲＦ１は、例えば、１２００ｒｐｍであって、回転数ＲＦ０よりも高い回転数である（ＲＦ１＞ＲＦ０）。
【０１３６】
次に、エンジン回転数が所定の回転数ＲＦ１以下になったタイミングｔ１４において、一旦燃料噴射を再開させる（矢印Ｃで指し示す部分を参照）。換言すると、一旦フューエルカットを中断する。
【０１３７】
タイミングｔ１５において、ＰＣＭ２は、デポジットの噛み込みが無くなった（除去された）と判断し、フラグを“１”から“０”にリセットし、これとともにフューエルカット制御に係るエンジン１の回転数を“ＲＦ１”から“ＲＦ０”に戻す。
【０１３８】
そして、タイミングｔ１６において、車両が停車し、車速が“０”となる。タイミングｔ１６において、ＰＣＭ２は、燃料噴射弁３７の燃料噴射を停止する。これにより、その後、直ぐにエンジン回転数がゼロとなる。
【０１３９】
７．効果
本実施形態では、制御部であるＰＣＭ２は、デポジットの噛み込み有りと判定した場合、フューエルカットの復帰に係るエンジンの回転数をＲＦ０からＲＦ１へと変更する。ＲＦ１は、ＲＦ０よりも高い回転数である。これより、本実施形態では、アクセルオフされてから車両停止までの間において、デポジットの噛み込み無しの場合に比べて、デポジットの噛み込み有りと判定した場合には、より長い期間中、燃焼室に燃料が供給され、燃焼圧（筒内圧）を利用してデポジットを確実に除去することが可能である。即ち、本実施形態では、制御部がデポジットの噛み込み有りと判定の場合のフューエルカットからの復帰タイミング（タイミングｔ１４）を、デポジットの噛み込みが無い場合よりも早くすることで、燃焼圧を利用したデポジットの押し潰しの機会を増やすことができる。
【０１４０】
従って、本実施形態では、吸気バルブ２１及び排気バルブ２２の少なくとも一方と、バルブシート１２ａとの間にデポジットが噛み込んだ場合にあっても、エンジン１の停止前に当該デポジットを除去することができ、良好な再始動性が確保可能である。
【０１４１】
なお、本実施形態では、ＰＣＭ２が、燃料噴射弁３７による燃料噴射を一旦停止した（フューエルカットした）後、再開させるので、ドライバに対してある程度の減速感を与えることができ、ドライバの違和感を緩和することができる。
【０１４２】
また、本実施形態では、ＰＣＭ２は、デポジット付着判定に際して、クランク角センサＳＮＳ１からのクランク角速度情報に基づいてデポジットの噛み込みの有無を判定するので、高い精度でのデポジットの噛み込み判定が実行できる。即ち、気筒内に設けた圧力センサからの圧力情報に基づきデポジットの噛み込みの有無を判定する場合等に比べて、本実施形態に係るＰＣＭ２は、微小なデポジットが噛み込んだ場合にも高精度に判定が実行可能である。
【０１４３】
また、本実施形態では、ＰＣＭ２は、区間Ｉｎｔ５を通過するのに要する時間Ｔ５と、区間Ｉｎｔ７を通過するのに要する時間Ｔ７との比（クランク角速度比Ｔ５／Ｔ７）に基づき、デポジットの噛み込みの有無を判定するので、エンジン本体１０の回転数が高い状態であっても高い精度を以ってデポジットの噛み込みの有無を検出することができる。
【０１４４】
［実施形態２］
実施形態２に係るＰＣＭによるデポジット除去制御の具体例について、図９及び図１０を用い説明する。図９は、実施例３に係るエンジンの制御において、エンジン回転数とフューエルカット制御との関係を示すタイミングチャートである。図１０は、実施例４に係るエンジン１の制御において、エンジン回転数とフューエルカット制御との関係を示すタイミングチャートである。
【０１４５】
なお、本実施形態に係るエンジンの基本的な構成、及びシステム構成については、上記実施形態１と同じであるので、重ねての説明を省略する。
【０１４６】
《実施例３》
実施例３に係るタイムチャートについて、図９を用い説明する。実施例３についても、上記実施例１と同様に、吸気バルブ２１及び排気バルブ２２とバルブシート１２ａとの間にデポジットが噛み込んでいない場合を想定している。
【０１４７】
図９に示すように、タイミングｔ２１において、ドライバがアクセルオフし、アクセル開度が略ゼロまで低下する。それとともに燃料噴射量がタイミングｔ２２に向かって漸減してゆく。燃料噴射は、タイミングｔ２２においてカットされ、燃料噴射量がゼロとなる。
【０１４８】
タイミングｔ２２において、燃料噴射がカット（フューエルカット）されることにより、クランク角速度比（Ｔ５／Ｔ７）が安定するようになる。そして、燃料噴射量がゼロとなったタイミングｔ２２からデポジット付着判定を開始し、ＰＣＭは、タイミングｔ２３において、デポジットの噛み込み無しとの判定を下す。
【０１４９】
なお、タイミングｔ２２からタイミングｔ２３の期間にＰＣＭが実行するデポジット付着判定は、上述のように、クランク角速度比（Ｔ５／Ｔ７）が、予め設定された閾値ＲＡｔｈ以下であるか否かにより行われる。
【０１５０】
図９に示す実施例３では、上記実施例１と同様に、デポジットの噛み込みの有無の判定の結果、タイミングｔ２３で噛み込み無しと判定し、デポジット付着判定に係るフラグは“０”のままである。このため、実施例３では、アイドルストップ制御について、エンジン回転数がゼロとなるまでフューエルカット許可“ＣＵＴ”状態を維持する。
【０１５１】
図９に示すように、本実施例では、タイミングｔ２３以降において、フューエルカットを維持するので、矢印Ｄで指し示すように、燃料噴射量がゼロのまま（燃料噴射が停止されたまま）であり、エンジン回転数が漸減してゆく。
【０１５２】
そして、タイミングｔ２４において、車速がが“０”となり、車両が停止する。この後、ＰＣＭは、ドライバのアクセルオンに備える。
【０１５３】
《実施例４》
次に、実施例４に係るタイムチャートについて、図１０を用い説明する。実施例４では、吸気バルブ２１及び排気バルブ２２の少なくとも一方と、バルブシート１２ａとの間にデポジットが噛み込んでいる場合を想定している。
【０１５４】
図１０に示すように、実施例４では、タイミングｔ３０において、既にデポジットの噛み込みが発生している。
【０１５５】
タイミングｔ３１において、ドライバがアクセルオフすると、アクセル開度が略ゼロまで低下し、上記実施例３と同様に、燃料噴射量がタイミングｔ３２に向かって漸減してゆく。そして、燃料噴射は、タイミングｔ３２においてカット（停止）され、燃料噴射量がゼロとなる。本実施例でも、当該タイミングｔ３２からデポジットの噛み込みの有無の判定がなされる。
【０１５６】
タイミングｔ３２において、燃料噴射がカットされることにより、クランク角速度比（Ｔ５／Ｔ７）が安定するようになるので、当該タイミングｔ３２からデポジット付着判定を実行する。そして、ＰＣＭは、タイミングｔ３３において、デポジットの噛み込み有りと判定する。
【０１５７】
タイミングｔ３２からタイミングｔ３３までの期間においてＰＣＭが実行するデポジット付着判定は、上記実施例３等と同様に、クランク角速度比（Ｔ５／Ｔ７）が、予め設定された閾値ＲＡｔｈ以下であるか否かにより行われる。図１０に示すように、デポジットが付着している本例では、クランク角速度比（Ｔ５／Ｔ７）は、閾値ＲＡｔｈ以下となっている。
【０１５８】
図１０に示すように、ＰＣＭは、デポジットの噛み込み有りと判定した場合に、デポジット付着判定に係るフラグを“１”にセットし、フューエルカット制御について、フューエルカット許可“ＣＵＴ”からフューエルカット禁止“ＣＵＴ禁止”へと変更する。これより、デポジット噛み込みの有無を判定したタイミングｔ３３の後であるタイミングｔ３４から、燃料噴射を再開し（フューエルカットを中断し）、タイミングｔ３５まで当該状態を維持する（矢印Ｅで指し示す部分を参照）。
【０１５９】
なお、図１０においては、タイミングｔ３３とタイミングｔ３５との間に所定の期間を設けた形態としているが、フューエルカットを禁止するタイミングｔ３４については、タイミングｔ３３と略同時であってもよい。
【０１６０】
そして、タイミングｔ３５において、デポジットの除去が完了するので、ＰＣＭは、デポジット付着判定のフラグを“０”にリセットし、フューエルカット制御について、フューエルカット許可“ＣＵＴ”にリセットする。これにより、燃料噴射が再度停止され、エンジン回転数が漸減してゆく。そして、フューエルカット状態のまま、タイミングｔ３６において、エンジン回転数及び車速がゼロとなり、車両が停止する。この後、ＰＣＭは、ドライバのアクセルオンに備える。
【０１６１】
本実施形態においても、上記実施形態１と同様に、吸気バルブ２１及び排気バルブ２２の少なくとも一方と、バルブシート１２ａとの間にデポジットが噛み込んだ場合にあっても、エンジン本体１０の停止前に当該デポジットを除去することができる。
【０１６２】
本実施形態では、ＰＣＭは、タイミングｔ３３においてデポジットの噛み込み有りと判定した場合、その直後（タイミングｔ３４）から燃料噴射弁を開状態とする（フューエルカットを中断する）ので、デポジットの噛み込み無しと判定した場合に比べて、燃焼室での燃焼時間を長くすることができる。即ち、図９の矢印Ｄで指し示す部分に対して、図１０の矢印Ｅで指し示す部分のように、燃料噴射を実行するので、当該燃料噴射により筒内圧の上昇を図ることができ、これにより噛み込んだデポジットを押し潰すことができる。
【０１６３】
従って、本実施形態では、吸排気バルブ２１とバルブシート１２ａとの間にデポジットが噛み込んだ場合にあっても、エンジン本体１０の停止前に当該デポジットを除去することができ、良好な再始動性が確保可能である。
【０１６４】
なお、上記実施例４では、タイミングｔ３５において、フューエルカット状態へとリセットすることとしたが、これについては、必ずしも必要ない。即ち、車速がゼロとなるまで燃料噴射を続けてもよい。ただし、燃費の向上や環境負荷の低減などの目的から、デポジット除去後においては、再度、燃料噴射を停止することが望ましい。
【０１６５】
［実施形態３］
実施形態３に係るエンジンの制御方法について、図１１及び図１２を用い説明する。図１１は、上記実施形態１における図６に対応するローチャートであり、図１２は、図１１のステップＳ３０における実行内容を示すフローチャートである。
【０１６６】
図１１に示すように、本実施形態に係るエンジンの制御方法において、上記実施形態１と異なる点は、ステップＳ３０、ステップＳ３１、ステップＳ３２、ステップＳ３３、ステップＳ３４、ステップＳ３５である。ステップＳ３０及びステップＳ３５については、後述する。
【０１６７】
ステップＳ３１は、ＰＣＭがステップＳ５でデポジットの噛み込み有りと判定し、ステップＳ８，Ｓ９，Ｓ３０，Ｓ１１，Ｓ１２，Ｓ１３を実行した際に、デポジット除去のカウントを行うステップである（ｊ←ｊ＋１）。
【０１６８】
ステップＳ３３は、ＰＣＭが実行する内容は図６のステップＳ２２と同様である。即ち、ステップＳ３３において、ＰＣＭは、デポジット除去制御が実行中であるか否かを判定する。
【０１６９】
ステップＳ３４は、ステップＳ３３が“Ｙｅｓ”であり、ステップＳ２３が“Ｎｏ”の場合、即ち、デポジットの噛み込み有りの状態のままアクセルオンされた場合において、未だデポジットが除去されていないとみなせる状態の場合に、繰り越しカウントを実行するステップである（ｋ←ｋ＋１）。
【０１７０】
ステップＳ３２は、ステップＳ１７，Ｓ３５，Ｓ１９〜Ｓ２１の各リセットを実行した場合に、カウントｊ，ｋをリセットするステップである（ｊ←０、ｋ←０）。
【０１７１】
図１２に示すように、ステップＳ３０のフューエルカット制御では、先ず、カウントｊが“１以上”であるか否かを判定する（ステップＳ３０１）。判定結果が“Ｙｅｓ”の場合には、ステップＳ３０２へと進み、判定結果が“Ｎｏ”の場合には、ステップＳ３０４へと進む。
【０１７２】
ステップＳ３０２では、カウントｋが“１以上”であるか否かを判定する。判定結果が“Ｙｅｓ”の場合にはステップＳ３０３へと進み、判定結果が“Ｎｏ”の場合には、ステップＳ３０４へと進む。
【０１７３】
ステップＳ３０３では、上記実施形態２の図１０で示したように、フューエルカットを禁止する制御を実行する。即ち、デポジットの噛み込み有りとの判定が有効である状態のまま、一旦アクセルオンされた後、再びアクセルオフされた際（フラグ“１”の状態が持ち越された際）には、アクセルオフの期間中、継続的にフューエルカットを中断する。
【０１７４】
一方、ステップＳ３０４は、図６のステップＳ１０と同様の制御を実行するものであり、上記のようなフラグ“１”の状態が持ち越されていない場合には、上記実施形態１の図８で示したように、フューエルカットからの復帰回転数の変更（ＲＦ０→ＲＦ１）を行う。
【０１７５】
ＰＣＭは、ステップＳ３０３及びステップＳ３０４の何れかを実行の後、リターンする。
【０１７６】
図１１におけるステップＳ３５は、図１２に示したようなフューエルカット制御の各設定を初期値に戻すステップである。
【０１７７】
本実施形態では、アクセルオフの期間において、デポジットの噛み込み有りと判定した後、当該デポジットの噛み込み有りとの判定の継続中において、アクセルがオン状態とされ、さらにその後、デポジットの噛み込み有りとの判定の継続中において、再びアクセルオフとされた場合に、ＰＣＭは、再度アクセルオフされた期間において、上記実施形態２の図１０と同様に、継続的に燃料噴射弁を開状態とする（フューエルカットを中断する）。
【０１７８】
なお、デポジットの噛み込み状態が持ち越された状態で３回目以降のアクセルオフ期間においても、同様にアクセルオフの直ぐ後にフューエルカットを中断する。
【０１７９】
本実施形態では、上記のように、デポジットの噛み込み有りの状態が持ち越された場合において、アクセルオフの直ぐ後からフューエルカットを中断するので、燃焼圧（筒内圧）を利用してデポジットを押し潰す機会を増やすことができる。よって、本実施形態では、エンジンが停止する前に、デポジットをより確実に除去することができ、吸排気バルブとバルブシートとの間にデポジットが噛み込んだ場合にあっても、エンジン本体１０の停止前に当該デポジットを除去することができ、良好な再始動性が確保可能である。
【０１８０】
［変形例］
上記実施形態１，２，３では、２つのターボ過給機６１，６２を備えるエンジン１を一例としたが、本発明は、これに限定を受けるものではない。例えば、１つのターボ過給機を備える構成を採用することもできるし、ターボ過給機を備えない、所謂、自然吸気エンジンを採用することもできる。
【０１８１】
また、上記実施形態１，２，３では、ＥＧＲ通路５１やＥＧＲバイパス通路５３を備えるエンジン１を一例としたが、本発明は、これに限定を受けるものではない。即ち、ＥＧＲ通路やＥＧＲバイパス通路は、必須の構成ではない。
【０１８２】
また、上記実施形態１，２，３では、エンジン本体１０としてディーゼルエンジンを一例としたが、本発明は、これに限定を受けるものではない。即ち、ガソリンエンジンを採用することもできる。
【０１８３】
また、上記実施形態１，２，３では、ＰＣＭ２によるデポジット付着判定において、クランク角速度情報に基づく区間Ｉｎｔ１〜Ｉｎｔ７，・・の内、区間Ｉｎｔ５を通過する時間Ｔ５と区間Ｉｎｔ７を通過する時間Ｔ７とを用いてクランク角速度比（Ｔ５／Ｔ７）を算出することとしたが、本発明は、これに限定を受けるものではない。例えば、区間Ｉｎｔ３や区間Ｉｎｔ４などを通過する時間Ｔ３，Ｔ４と、区間Ｉｎｔ６や区間Ｉｎｔ７などを通過する時間Ｔ６，Ｔ７と、の比を採用することとしてもよい。
【０１８４】
また、上記実施形態１等では、図６に示すフローチャートにおいて、ステップＳ２で「減速フューエルカット中」か否かを判定することとしたが、本発明は、これに限定を受けるものではない。アクセルオフに伴うフューエルカット中であれば、「減速中」か否かは必須の要件ではない。例えば、下り坂を走行中などにもデポジット付着判定を実行することとする場合には、ステップ２として、「アクセルオフに伴うフューエルカット中」か否かを判定要件とすることができる。
【０１８５】
また、上記実施形態１等では、図６に示すフローチャートにおいて、ステップＳ１３で「ＥＧＲバルブ開度」を小さくする（又はゼロとする）こととしたが、本発明は、これに限定を受けるものではない。即ち、上記実施形態１等のようにＥＧＲバイパス通路５３を備える場合には、ＥＧＲバルブ５１ａに加え、ＥＧＲバイパスバルブ５３ａについても開度を小さくする（又はゼロとする）ことが望ましい。これにより、排気ガスの略全量がターボ過給機６１，６２のタービン６１ｂ，６２ｂが設けられた箇所を経由して排出されることとなり、より高圧の空気が吸気ポート１６に供給されることとなる。よって、デポジット除去を行う上でより望ましい。
【０１８６】
また、上記実施形態１等では、図６、１１に示すフローチャートにおいて、ステップＳ９〜ステップＳ１３，Ｓ３０のデポジット除去制御を実行することとしたが、本発明は、これら全てを実行することは必須ではなく、あるいは、他のデポジット除去を促進できる制御を付加して実行することも可能である。
【０１８７】
また、上記実施形態１等では、ＰＣＭ２が、燃料噴射弁３７の閉状態が継続中にデポジットの噛み込みの有無を判定することとしたが、本発明は、これに限定を受けるものではない。即ち、燃料噴射弁３７の閉状態が継続中である時に取得したクランク角速度情報を用いデポジットの噛み込みの有無を判定すればよく、判定そのものについては、燃料噴射弁３７が開状態である期間に実行してもよい。
【０１８８】
また、上記実施形態１等では、ＰＣＭ２がデポジットの噛み込みの有無を判定し、その結果に基づいて、フューエルカットからの復帰に係るエンジン回転数を規定することとしたが、本発明は、デポジットの噛み込みの有無を必ずしも判定することを要しない。即ち、ＰＣＭ２は、クランク角速度比が所定の閾値以下になったタイミングで、デポジットの噛み込みの有無を判定することなく、フューエルカットからの復帰に係るエンジン回転数を変更することとしてもよい。
【符号の説明】
【０１８９】
１  エンジン
２  ＰＣＭ
１０  エンジン本体
１２ａ  バルブシート
１９  クランクプレート
２１  吸気バルブ
２１ａ  バルブ傘部
２２  排気バルブ
３０  吸気通路
３３  サージタンク
３６  吸気シャッターバルブ
５１ａ  ＥＧＲバルブ
６１  第１ターボ過給機
６２  第２ターボ過給機
【図１】
2018184889.tif 000003
【図２】
2018184889.tif 000004
【図３】
2018184889.tif 000005
【図４】
2018184889.tif 000006
【図５】
2018184889.tif 000007
【図６】
2018184889.tif 000008
【図７】
2018184889.tif 000009
【図８】
2018184889.tif 000010
【図９】
2018184889.tif 000011
【図１０】
2018184889.tif 000012
【図１１】
2018184889.tif 000013
【図１２】
2018184889.tif 000014